(57)【要約】【課題】容易に脱着可能であり、コンパクトで作業の障害とならない冷暖房機能付き衣服用冷暖房ユニットを提供すること等を目的とする。【解決手段】着衣者に着脱可能に装着される充電電池と、着衣者に着脱可能に装着されて充電電池から電力が供給される温調制御ボックスと、温調制御ボックスから着衣へと、コネクタを介して接続され、着衣に実装されたフレキシブルチューブと、を備え、温調制御ボックスの温度調節部により温度調整された液体媒体が、着衣と温調制御ボックスとの間を、温調制御ボックスに実装された循環ポンプによりフレキシブルチューブを通じて循環して、着衣者に対して冷房または暖房を行う衣服用冷暖房ユニットとする。【選択図】図１
2017110331.tif 000002
【特許請求の範囲】
【請求項１】
着衣者に着脱可能に装着される充電電池と、
前記着衣者に着脱可能に装着されて前記充電電池から電力が供給される温調制御ボックスと、
前記温調制御ボックスから着衣へと、コネクタを介して接続され、前記着衣に実装されたフレキシブルチューブと、を備え、
前記温調制御ボックスの温度調節部により温度調整された液体媒体が、前記着衣と前記温調制御ボックスとの間を、前記温調制御ボックスに実装された循環ポンプにより前記フレキシブルチューブを通じて循環して、前記着衣者に対して冷房または暖房を行う
ことを特徴とする衣服用冷暖房ユニット。
【請求項２】
請求項１に記載の衣服用冷暖房ユニットにおいて、
前記温調制御ボックスは、前記温度調節部の放熱を支援する放熱フィン及び前記放熱フィンに対して送風する送風ファンをさらに備え、
前記送風ファンの送風出口は、前記ベルトに前記温調制御ボックスを装着した場合に、人体側ではない方向に配置される
ことを特徴とする衣服用冷暖房ユニット。
【請求項３】
請求項２に記載の衣服用冷暖房ユニットにおいて、
前記温度調節部の放熱側に一面が直接接触するように配置され、前記一面の対向面が凸状の伝熱部材と、
前記伝熱部材の凸状の前記対向面に当接して配置された前記送風ファンと、
前記送風ファンの送風出口側に配置された前記放熱フィンと、を順に備え、
前記送風ファンの外縁を回り込むように配置された伝熱ワイヤを介して、前記伝熱部材から前記放熱フィンへと、熱が伝導される
ことを特徴とする衣服用冷暖房ユニット。
【発明の詳細な説明】
【技術分野】
【０００１】
本発明は、衣服用冷暖房ユニットに関する。
【背景技術】
【０００２】
夏場の炎天下での屋外における各種工事作業や、厳冬期における吹き曝しの屋外作業や、冷凍保管倉庫における整理作業等、人体の適温とされる環境温度範囲を大きく超える温度環境下で、作業遂行を強いられる業務は多数存在する。このような、温度環境が過酷な状況下で作業をする場合等に、簡単に着脱可能な冷暖房機能を備える衣服（作業服）があれば、作業者に対する環境負荷を軽減することができる。特に、夏場等の熱い環境下や高温高湿の環境下で作業を遂行する作業者を、例えば熱中症等から保護する対策が従来求められるところである。
【０００３】
下記特許文献１には、冷房及び暖房の少なくとも一方を従来より効率的に行うことができる温度可変服を提供することを目的とする、衣服用温度可変ユニット及びそれを備えた温度可変服の技術思想が開示されている。
【０００４】
特許文献１によれば、衣服の着用者に対して冷房及び暖房の少なくとも一方を行うために衣服に装着される衣服用温度可変ユニットであって、電流が流されることによって一方が発熱して他方が冷える２つの端部を有したペルチェ素子と、断熱基板とを備え、断熱基板は、着用者の身体側に配置されるための身体面と、身体面と対向する非身体面とを有し、身体面側と、非身体面側とでペルチェ素子の前記２つの端部の温度変化を分離する状態で前記ペルチェ素子を支持した、衣服用温度可変ユニットとする構成により、断熱基板によってペルチェ素子の２つの端部の温度変化を分離するので、冷房及び暖房の少なくとも一方を従来より効率的に行うことができることが記載されている。
【先行技術文献】
【特許文献】
【０００５】
【特許文献１】特開２００８−０３１５８１号公報
【発明の概要】
【発明が解決しようとする課題】
【０００６】
上述したような作業環境下では、一般的な事務オフィスや店舗内のように、部屋全体の温度に空調をかけて、快適な作業環境温度を確保することは、実質的に困難である。このため、全体的な温度や周囲の温度はそのままで、作業者に対してのみ冷暖房を付与できるようなものが望まれるものとなる。
【０００７】
この点、冬場においては、載置型または移動型の携帯スポット暖房として、カセット型ガスボンベを利用したガス暖房器具や、携帯型ポケットカイロ等は用いられることも多い。しかし、携帯型のスポットとはいえ燃焼を伴うガス暖房は、火気使用禁止の環境下では用いることができない場面も少なくなく、周囲の温度も上昇してしまうこととなる。また、頻繁な移動を伴う作業では、その持ち運びや運搬も煩雑となることが予想される。
【０００８】
また、夏場においては、水の気化熱で体温を下げるように水を含ませた生地からなるネッククーラや、凍らせた冷却剤等を用いて、いわゆる暑さ対策が為されている。しかし、冷房やスポットクーラ、扇風機等を比べると、その冷却効果は極めて限定的であり、作業者の熱を充分に下げるものとはいえない側面も有する。ある程度の時間に亘って一定の場所で作業する場合には、移動型のスポットクーラなども用いられているが、これは屋内では周囲環境温度にも大きく影響する上、頻繁な移動を伴う作業では、携行性が低く実質的には利用できない。いわばパーソナル冷暖房とも称されるような、冷暖房機能付き作業服のようなものがあれば、望ましい。
【０００９】
本発明は、上述の問題点に鑑み為されたものであり、容易に脱着可能であり、コンパクトで作業の障害とならない冷暖房機能付き衣服用冷暖房ユニットを提供すること等を目的とする。
【課題を解決するための手段】
【００１０】
本発明の衣服用冷暖房ユニットは、ベルト（安全帯用腰ベルト、胴ベルト等）に着脱可能に装着される充電電池ケースに収納された充電電池と、ベルトに着脱可能に装着されて充電電池から電力が供給される温調制御ボックスと、温調制御ボックスから衣服へと、着脱可能コネクタを介して接続された、少なくとも一対のフレキシブルチューブと、を備え、温調制御ボックスに実装されたペルチェ素子により温度調整された液体媒体が、衣服と温調制御ボックスとの間を、温調制御ボックスに実装された循環ポンプによりフレキシブルチューブを通じて循環して、衣服の着衣者に対して冷房または暖房を行い、着脱可能コネクタは、取り外し時には液体媒体が漏れないように脱着口が封止されることを特徴とする。
【００１１】
また、本発明の衣服用冷暖房ユニットは、好ましくは温調制御ボックスが、ペルチェ素子の放熱を支援する放熱フィン及び放熱フィンに対して送風する送風ファンをさらに備え、送風ファンの送風出口は、ベルトに温調制御ボックスを装着した場合に、人体側ではない方向に配置されることを特徴とする。
【００１２】
また、本発明の衣服用冷暖房ユニットは、さらに好ましくはペルチェ素子の放熱側に一面が直接接触するように配置され、一面の対向面が凸状の伝熱部材と、伝熱部材の凸状の対向面に当接して配置された送風ファンと、送風ファンの送風出口側に配置された放熱フィンと、を順に備え、送風ファンの外縁を回り込むように配置された伝熱ワイヤを介して、伝熱部材から放熱フィンへと、熱が伝導されることを特徴とする。
【発明の効果】
【００１３】
容易に脱着可能であり、コンパクトで作業の障害とならない冷暖房機能付き衣服用冷暖房ユニットを提供できる。
【図面の簡単な説明】
【００１４】
【図１】本実施形態の衣服用冷暖房ユニットを説明する全体概要図である。
【図２】ベストの内側に、フレキシブルチューブを配置した状態を説明する図である。
【図３】温調制御ボックス内に実装される温調制御部の構成を説明する図である。
【図４】温調制御ボックス内に実装される温調制御部の構成を説明する図である。
【図５】フレキシブルチューブに設けられた着脱可能コネクタを説明する図である。
【図６】伝熱部材の形状を説明する模式図である。
【発明を実施するための形態】
【００１５】
実施形態で説明する衣服用冷暖房ユニットは、ペルチェ素子で適温に温度調整された液体媒体が封入されたフレキシブルチューブを着衣（典型的にはベスト）に配置し、着衣者が快適に過ごせる冷暖房を提供する。
【００１６】
ペルチェ素子やこれを駆動する電源等は、安全帯用腰ベルトや胴ベルト等に装着されることができるので、着衣者は、本来の作業をスムースに遂行することが可能である。また、フレキシブルチューブは、衣服の内側等に配置して縫い付け等にて固定することができ、着脱可能コネクタにより断線させることができるので着衣動作や脱衣動作等において邪魔になることもない。
【００１７】
実施形態で説明する衣服用冷暖房ユニットでは、ペルチェ素子で発生した余熱が、余熱を排熱する空気の適切な流入を支援する伝熱部材及び送風ファンにより、効果的に空気中に放出されることとなる。また、送風ファンをサンドイッチするように伝熱部材と放熱フィンを配置することにより、効率的な排熱が可能となる。そこで、以下図面に基づいて本実施形態の衣服用冷暖房ユニットについて説明する。
【００１８】
図１は、本実施形態の衣服用冷暖房ユニット１０００を説明する全体概要図である。図１において、衣服用冷暖房ユニット１０００は、ベルトに装着可能な充電電池ケース１１１０と充電電池ケース１１１０にセットされた充電電池１１２０から構成される充電電池部１１００を備える。充電電池１１２０を充電電池ケース１１１０から脱着可能に構成することで、ベルトに充電電池ケース１１１０を装着したままで、充電電池１１２０本体のみを交換または充電することができるので、便利であるが、充電電池１１２０それ自体をベルトに装着する構成としてもよい。
【００１９】
また、衣服用冷暖房ユニット１０００は、充電電池１１２０から出力される電力をペルチェ素子に適切な電力へと安定化させる安定化電源１２００を備える。安定化電源１２００は、電力効率や温調効率を向上させる観点からは設けることが好ましいが、省略することもできる。
【００２０】
また、衣服用冷暖房ユニット１０００は、安定化電源１２００からの電力で駆動される温調制御部１３００を備える。温調制御部１３００は、不図示のボックス（例えばアルミ製箱）等の筐体に収納されて、温調制御ボックスとして構成される。これにより、温調制御部１３００内に含まれる各種電子部品等に塵芥等が付着したり工具等が直接触れて破損したりすることを防止できる。ボックスや筐体等には、空気の流入及び流出が可能なスリットや空間等が適宜設けられる。
【００２１】
また、衣服用冷暖房ユニット１０００は、温調制御部１３００からベスト１５００へと液体冷媒を送出するフレキシブルチューブ１４１０と、ベスト１５００から温調制御部１３００へと液体冷媒を帰還させるフレキシブルチューブ１４２０と、の一対のフレキシブルチューブ１４００を備える。
【００２２】
フレキシブルチューブ１４１０は着脱コネクタ１４５０を、ベスト１５００と温調制御部１３００との間に、備える。また、フレキシブルチューブ１４２０は着脱コネクタ１４６０を、ベスト１５００と温調制御部１３００との間に、備える。着脱コネクタ１４５０，１４６０は、取り外し時にチューブ内の液体が漏れないような封止構造を有しているが、その構造や構成は既に広く知られているものを利用できるので、説明を省略する。
【００２３】
また、フレキシブルチューブ１４００は、ベスト１５００の内側に縫い付けて適宜配置されており、ベスト１５００の着衣者の体温を適宜調整可能なように構成されている。ベスト１５００を着衣または脱衣する場合等には、着脱コネクタ１４５０，１４６０を取り外すことで、液体冷媒を漏洩させることなくフレキシブルチューブ１４００を断線状態とし、スムースな更衣動作を可能とする。図１においては、温調制御部１３００から延伸されたフレキシブルチューブ１４１０に、液体冷媒の温度を測定する温度計１６００が設けられているが、省略することもできる。
【００２４】
図２は、ベスト１５００の内側に、フレキシブルチューブ１４００を配置した状態を説明する図である。図２において、ベスト１５００の背中側から両肩及び上腕部にかけて、フレキシブルチューブ１４００が配置されて、縫製糸で固定されている。図２に示すのは典型例であり、フレキシブルチューブ１４００は任意の箇所に配置し固定することができる。
【００２５】
また、図３及び図４は、温調制御ボックス内に実装される温調制御部１３００の構成を説明する図である。図３及び図４から理解できるように、温調制御部１３００は、フレキシブルチューブ１４００が接続されて液体媒体を循環させる循環ポンプ１３７０と、循環ポンプ１３７０に当接されたペルチェ素子１３６０と、ペルチェ素子１３６０の周囲をペルチェ素子と同一の厚さで覆う断熱材１３５０と、を備える。断熱材１３５０は、ペルチェ素子１３６０の当接面と循環ポンプ１３７０の面の大きさの差異により生じる隙間を補完して、当該隙間から熱が散逸されることを防止する。
【００２６】
また、図３及び図４に示すように、ペルチェ素子１３６０の紙面上面側に当接してアルミニウム製の伝熱部材１３４０が配置される。伝熱部材１３４０は、ペルチェ素子１３６０で生じる排熱を迅速に逃がす機能を支援する。伝熱部材１３４０の紙面上面側には送風ファン１３３０が配置され、送風ファン１３３０の紙面上面側には放熱フィン１３１０が配置される。送風ファン１３３０は、空気を伝熱部材１３４０側から吸い込んで、放熱フィン１３１０側へと送出する。
【００２７】
また、伝熱部材１３４０と放熱フィン１３１０との間は伝熱ワイヤ１３２０で接続されており、伝熱ワイヤ１３２０を介して排熱が伝熱部材１３４０から放熱フィン１３１０へと伝導される。図３及び図４において、伝熱部材１３４０は、中央が一方向に凸状延伸された形態を有している。図６は、伝熱部材１３４０の形状を説明する模式図である。
【００２８】
図３、図４、図６に示すように、第一方向に延伸された凸状部位１３４１と、平坦部位１３４２と、を有する伝熱部材１３４０において、送風ファン１３３０により空気が太矢印で示すように辺縁部から中央部へ流入する。これにより、図６の伝熱部材１３４０の底面側に当接配置されたペルチェ素子１３６０の排熱を効果的に、流入空気へ逃がすことが可能となる。また、伝熱ワイヤ１３２０は、図６に太矢印で示す空気の流路（すなわち、第二方向）上に配置されることが好ましい。また、凸状部位１３４１と、平坦部位１３４２と、の境界は、テーパを付けてなだらかに形成することが、空気の抵抗を低減してスムースなエアーフローを形成するので、さらに好ましい。
【００２９】
図６においては、延伸された凸状部位１３４１を有する伝熱部材１３４０を説明したが、平坦部位１３４２が、中央の凸状部位１３４１の周りを取り囲むように配置されて、四方から均等に空気が流入するものとしてもよい。この場合には、伝熱ワイヤ１３２０は、第一方向と第二方向とのどちら側に配置してもよい。
【００３０】
また、図５は、フレキシブルチューブ１４００に設けられた着脱可能コネクタ１４５０，１４６０を説明する図である。図５に示すのは、着脱可能コネクタ１４５０，１４６０の側面に設けられた押圧ボタンを押すことで、簡単にジョイントが外れて、かつ内部の液体媒体も封止されるタイプのものである。しかし、このような機能を有する着脱コネクタ１４５０，１４６０は、種々の機構・形状・構造のものが知られており市販もされているところ、任意のものを選定し用いることができる。
【００３１】
本発明の衣服用冷暖房ユニットは、ベルト（安全帯用腰ベルト、胴ベルト等）に着脱可能に装着される充電電池ケースに収納された充電電池と、ベルトに着脱可能に装着されて充電電池から電力が供給される温調制御ボックスと、温調制御ボックスから衣服へと、着脱可能コネクタを介して接続された、少なくとも一対のフレキシブルチューブと、を備え、温調制御ボックスに実装されたペルチェ素子により温度調整された液体媒体が、衣服と温調制御ボックスとの間を、温調制御ボックスに実装された循環ポンプ（媒体送出モータ等）によりフレキシブルチューブを通じて循環して、衣服の着衣者に対して冷房または暖房を行い、着脱可能コネクタは、取り外し時には液体媒体が漏れないように脱着口が封止されることを特徴とする。
【００３２】
これにより、衣服、典型的にはベストを脱衣した場合でも、液体冷媒が充填されているフレキシブルチューブが脱衣の障害となることを回避できる。冷暖房中においては、衣服と、ベルトに装着された温調制御ボックスと、は、フレキシブルチューブにより、いわば「有線」で結ばれている。
【００３３】
例えば、ヘッドホンやイヤホンを有線で使用する場合の経験等からも明らかであるが、ヘッドホン等を装着状態から取り外した場合に、有線が邪魔になったり捻れたりする場合も多々生じる。本発明においては、衣服を脱衣動作または着衣動作等する場合には、脱着可能コネクタにより、いわゆる断線状態にすることができるので、スムースな着衣動作等が可能となり、不本意に捻れることもない。
【００３４】
また、この場合でも、液体媒体がコネクタから漏れ出る懸念は生じない。なお、内部液体等の漏れを防止可能な着脱可能コネクタは、例えば散水ホース等の接続コネクタとして広く知られている構造を利用できるので、ここでは説明を省略する。
【００３５】
また、とび職や大工職人等が多様な工具を腰ベルトに装着することで、これらの工具を持ち運びしながら、空いた両手で各種の作業を遂行するのと同様に、充電電池や温調制御ボックスは、腰ベルトに装着することができる。これらの装着方法についてはベルトへのフックやスナップ等、多様な工具をベルト装着する場合と同様の公知の各種方法を採用可能である。
【００３６】
衣服へフレキシブルチューブを満遍なく張り巡らすことにより、衣服全体を冷却または暖房することができ、着衣者も涼しさまたは暖かさを感じるものとなる。しかし、任意の特定の箇所、例えば脇の下や首もと周り等、に集中的にフレキシブルチューブを配置することとしてもよい。例えば、お腹周りを集中的に暖めるように、腹回りに対応する衣服の部位に、より多くのフレキシブルチューブを配置してもよい。
【００３７】
フレキシブルチューブを用いることで、衣服のよれや変形に対しても柔軟に対応するものとなり、着衣者の動作や作業への制約は殆ど生じないものとできる。また、充電可能な二次電池を用いるので、利便性は高いものとなり、例えば電動ドリルや電動ドライバ等各種電動工具の電源と共用のバッテリとしてもよい。
【００３８】
また、本発明の衣服用冷暖房ユニットは、好ましくは、温調制御ボックスが、ペルチェ素子の放熱を支援する放熱フィン及び放熱フィンに対して送風する送風ファンをさらに備え、送風ファンの送風出口は、ベルトに温調制御ボックスを装着した場合に、人体側ではない方向に配置されることを特徴とする。
【００３９】
放熱フィン及び放熱フィンに対して送風する送風ファンにより、ペルチェ素子による温調効率が向上し、より迅速かつ効果的な冷房または暖房を遂行できる。ペルチェ素子は、冷房時には発熱した余熱を放熱する必要があり、また逆に、暖房時には必要な熱を発熱する面とは逆の面である冷熱部位に対して周囲環境から吸熱させてやる必要がある。
【００４０】
すなわち、送風ファンの出口からは冷房時には温風が出力され、暖房時には冷風が出力されるものとなるが、このような排熱風が、着衣者の方向に向かないように外側に向けられるものとなる。
【００４１】
このような排熱風は、着衣者が期待する冷房効果や暖房効果とは、真逆の温度を有する風であるので、着衣者に少なくとも直接送出されることがないように、ベルト装着時に人体側ではない方向に向けるものとする。これにより、着衣者の快適性がさらに向上するものとなる。
【００４２】
また、本発明の衣服用冷暖房ユニットは、さらに好ましくは、ペルチェ素子の放熱側に一面が直接接触するように配置され、一面の対向面が凸状の伝熱部材と、伝熱部材の凸状の対向面に当接して配置された送風ファンと、送風ファンの送風出口側に配置された放熱フィンと、を順に備え、送風ファンの外縁を回り込むように配置された伝熱ワイヤを介して、伝熱部材から放熱フィンへと、熱が伝導されることを特徴とする。
【００４３】
これにより、送風ファンへの風の流入が、凸状の伝熱部材の表面に沿って周囲からスムースに流入するものとなり、送風ファンからの出力風が放熱フィンを効果的に冷却等することができる。
【００４４】
ペルチェ素子からの熱は、第一次的には伝熱部材に伝導されて、第二次的には伝熱ワイヤに伝導され、第三次的には放熱フィンに伝導される。このうち、少なくとも伝熱部材の凸状の表面及び放熱フィンには、送風ファンへ流入する空気及び送出される空気がそれぞれ直接触れることとなるので、放熱等の効果を向上させることができる。
【００４５】
また、伝熱部材の凸状表面がいずれの方向からも均等に凸状である場合には、送風ファンへの流入空気の量も方向に拘わらず均等であるので、伝熱ワイヤをどの方向に配置してもよい。
【００４６】
しかし、伝熱部材の凸状表面が、第一方向において延伸された凸状であり第一方向と直交する第二方向には延伸されない凸状である場合（すなわち第二方向切断面において凸形状であるが第一方向切断面では凸形状は観察されない場合）には、送風ファンへの流入空気は主として第二方向からとなるので、伝熱ワイヤを第二方向に配置することが好ましい。
【００４７】
本発明においては、ペルチェ素子で発生するの不要な熱を放出等する伝熱部材及び放熱フィンを、送風ファンをサンドイッチするように配置するので、高い放熱効率を得ることができる。
【００４８】
特に、送風ファンに流入してくる新鮮な空気が、放熱フィンよりも先に、よりペルチェ素子に近い位置に配置された伝熱部材を冷却等することとなるので、ペルチェ素子等の不要な熱をより迅速に排熱等することが可能であり、高い冷暖房効率を得ることができる。
【００４９】
上述の説明による衣服用冷暖房ユニットは、実施形態での説明に限定されるものではなく、本発明の範囲内かつ当業者に自明な範囲内で適宜構成を変更し、動作や工程を変更することができるものである。
【産業上の利用可能性】
【００５０】
本発明は、作業者の個人用かつ携帯型の衣服用冷暖房ユニットとして好適である。
【符号の説明】
【００５１】
１０００・・衣服用冷暖房ユニット、１１００・・充電電池部、１２００・・安定化電源、１３００・・温調制御部、１４００・・フレキシブルチューブ、１５００・・ベスト、１６００・・温度計。
【図１】
2017110331.tif 000003
【図２】
2017110331.tif 000004
【図３】
2017110331.tif 000005
【図４】
2017110331.tif 000006
【図５】
2017110331.tif 000007
【図６】
2017110331.tif 000008
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
着衣者に着脱可能に装着される充電電池と、
前記着衣者に着脱可能に装着されて、前記充電電池から電力が供給される温度調節部を内部に実装された、温調制御ボックスと、
前記温調制御ボックスから着衣へと、コネクタを介して接続され、前記着衣に実装されたフレキシブルチューブと、を備え、
前記温度調節部により温度調整された液体媒体が、前記着衣と前記温調制御ボックスとの間を、前記温調制御ボックスに実装された循環ポンプにより前記フレキシブルチューブを通じて循環して、前記着衣者に対して冷房または暖房を行う
ことを特徴とする衣服用冷暖房ユニット。
【請求項２】
請求項１に記載の衣服用冷暖房ユニットにおいて、
前記温調制御ボックスは、前記温度調節部の放熱を支援する放熱フィン及び前記放熱フィンに対して送風する送風ファンをさらに備え、
前記送風ファンの送風出口は、ベルトに前記温調制御ボックスを装着した場合に、人体側ではない方向に配置される
ことを特徴とする衣服用冷暖房ユニット。
【請求項３】
請求項２に記載の衣服用冷暖房ユニットにおいて、
前記温度調節部の放熱側に一面が直接接触するように配置され、前記一面の対向面が凸状の伝熱部材と、
前記伝熱部材の凸状の前記対向面に当接して配置された前記送風ファンと、
前記送風ファンの送風出口側に配置された前記放熱フィンと、を順に備え、
前記送風ファンの外縁を回り込むように配置された伝熱ワイヤを介して、前記伝熱部材から前記放熱フィンへと、熱が伝導される
ことを特徴とする衣服用冷暖房ユニット。
【手続補正２】
【補正対象書類名】図面
【補正対象項目名】全図
【補正方法】変更
【補正の内容】
【図１】
2017110331.tif 000009
【図２】
2017110331.tif 000010
【図３】
2017110331.tif 000011
【図４】
2017110331.tif 000012
【図５】
2017110331.tif 000013
【図６】
2017110331.tif 000014